(57)【要約】      （修正有）【課題】ケース本体に入りきらない手荷物が生じた場合、この手荷物をケース本体上に安定した状態で保持できるようにした旅行用キャリーケースを提供する。【解決手段】キャタピラ３を有する底壁部２ｂとハンドル４を有する天壁部２ａを備えたケース本体２のハンドル４に着脱自在に係合する係合手段１２を周縁部に有する矩形状の伸縮ネット１０を具備し、ケース本体２の天壁部２ａとハンドル４の間に載置した手荷物３０を伸縮ネット１０で包み、伸縮ネット１０の係合手段１２をハンドル４に係合させて伸縮ネット１０を伸張させた状態で、手荷物３０をケース本体２上に保持する。【選択図】図１
0003190234.tif 000002
【実用新案登録請求の範囲】
【請求項１】
キャタピラを有する底壁部とハンドルを有する天壁部を備えたケース本体の前記ハンドルに着脱自在に係合する係合手段を周縁部に有する矩形状の伸縮ネットを具備し、前記ケース本体の前記天壁部と前記ハンドルの間に載置した手荷物を前記伸縮ネットで、前記係合手段を前記ハンドルに係合させて当該伸縮ネットを伸張させた状態て保持するようにしたことを特徴とする旅行用キャリーケース。
【考案の詳細な説明】
【技術分野】
【０００１】  本考案は、ハンドル付の旅行用キャリーケースに関する。
【背景技術】
【０００２】  旅行用キャリーケースは、矩形状で頑丈なケース本体にキャタピラとハンドルを付けた構造が一般的である。この旅行用キャリーケースは、ハンドルを上にしてキャタピラを道路上で転がすことで、手動による運搬が楽で便利になる。
【考案の開示】
【考案が解決しようとする課題】
【０００３】  旅行用キャリーケースのケース本体に入らない手荷物が生じた場合、この手荷物をバンドを使ってケース本体に縛り付けることが行われている。しかし、道路上を転がして運搬するキャリーケースにおいては、ケース本体が激しく振動してバンドの締め付けが弛み、手荷物がケース本体から落下することがあり、取り扱いに注意を要した。
【課題を解決するための手段】
【０００４】  本考案は、キャタピラを有する底壁部とハンドルを有する天壁部を備えたケース本体のハンドルに着脱自在に係合する係合手段を周縁部に有する矩形状の伸縮ネットを具備し、ケース本体の天壁部とハンドルの間に載置した手荷物を伸縮ネットで、当該伸縮ネットの係合手段をハンドルに係合させて伸縮ネットを伸張させた状態で、手荷物をケース本体上に保持するようにした。
【考案の効果】
【０００５】  ケース本体の天壁部上に載置した手荷物を伸縮ネットで保持することで、伸縮ネットが手荷物をケース本体上に弾圧的に押し付け、ケース本体上の手荷物を伸張した伸縮ネットが包み込むようにして手荷物を上下左右かつ前後から弾圧的に保持するので、ケース本体から手荷物が落下する心配が無くなり、キャリーケースの運搬が安心安全に行うことができる。
【考案を実施するための最良の形態】
【０００６】  伸縮ネットは、ケース本体に適宜収納できるものが実用的である。このような伸縮ネットは、ケース本体に収納できない手荷物が生じた場合に、ケース本体から取り出されて手荷物の保持に使用できる。また、伸縮ネットの係合手段は、構造の異なる複数種類が適用できる。
【実施例】
【０００７】  以下、一実施例を添付図面に従って説明する。図１に示される旅行用キャリーケース１は、旅行者（図示せず）に運搬されるときの状態を示す。キャリーケース１は、矩形箱形のケース本体２とキャタピラ３，ハンドル４を有し、手荷物保持用伸縮ネット１０をオプションとして備える。ケース本体２の底壁部２ｂにキャタピラ３が設置され、天壁部２ａの後方中央部分にハンドル４が突設される。【０００８】  伸縮ネット１０の具体例を図４に示す。伸縮ネット１０は、多数本の伸縮性網条体１１を網目状に編み込んだ矩形状のネット本体２０を備え、ネット本体２０の周縁部に複数の係合手段１２〜１５を配備する。網条体１１はゴム糸にフィラメントを巻装して長さ方向に伸縮性を持たせたもので、一対ずつがフィラメントを介して鎖状に編み込まれ、一対の結着部分が突起状にならないようにしてある。ネット本体２０の網条体長さ方向での両端部に一対の係合手段１２，１３が連接され、ネット本体２０の網条体並び方向での両端部に別の一対の補助係合手段１４，１５が連接される。【０００９】  １本の網条体１１は、５ｍｍ弱の線径にして安定した引張強度を持たせてある。一対の網条体１１で形成される１つのネット網目の大きさは３ｃｍ角程度の大きさにして、ネット網目に手荷物の角部が入り易いようにしてある。図４で上部位置にある係合手段１２は、ネット本体２０の上端部に縫合された伸縮体１２ａの両端部にオスメス式係止具１２ｂ、１２ｃを連接して構成される。図４で下部位置にある係合手段１３は、ネット本体２０の下端部に縫合された伸縮体１３ａの中央部に直交方向に連結バンド１３ｂを縫合して構成される。連結バンド１３ｂの先端側に一対のオスメス式の一方の係止具１３ｃが連接され、他方の係止具１３ｄが図４で上部位置にある伸縮体１２ａの端部に連接される。ネット本体２０の図４で左右両端部に一対の補助係合手段１４，１５としての伸縮条体がネット網目に通すようにして連接される。この伸縮条体である補助係合手段１４、１５の上下両端部は対応する伸縮体１２ａ、１３ａに縫合される。【００１０】  図１〜図３で伸縮ネット１０の使用例を説明する。旅行者が旅行などの祭に、ケース本体２に入りきらない手荷物３０が生じた場合、図２および図３に示すように、ケース本体２の天壁部２ａ上に伸縮ネット１０をハンドル４を利用して取り付ける。まず、伸縮ネット１０の一方の係合手段１２をハンドル４の根元に巻回して一対の係止具１２ｂ、１２ｃを連接する。伸縮ネット１０を天壁部２ａ上に拡げて、その上に手荷物３０を載置する。次に、伸縮ネット１０を手荷物３０の手前で上げ、手でネット本体２０を上下左右に伸張させて手荷物３０を包む。他方の係合手段１３の連結バンド１３ｂをハンドル４の上端部に引っ掛ける。連結バンド１３ｂを下方に引いて、係止具１３ｃを対応する係止具１３ｄに係止する。【００１１】  図１は、手荷物３０がケース本体２の天壁部２ａ上に伸縮ネット１０で上下左右および前方から弾圧的に押圧されて、天壁部２ａとハンドル４の間に保持された状態を示す。このとき、左右の補助係合手段１４，１５の伸縮条体が伸張して手荷物３０の両側面に引っ掛かり、手荷物３０の保持を補助する。また、��助係合手段１４，１５の伸縮条体の伸縮力を、ネット本体２０の伸縮性より大きく設定することで、ネット本体２０の不要な伸張が抑制されて、手荷物３０の保持力が安定したものになる。また、一対の補助係合手段１４，１５の伸縮条体をハンドル４側に図示しない引張りバンドで引っ張って、ハンドル４側に連接するようにしてもよい。
【図面の簡単な説明】
【００１２】
【図１】手荷物搭載の旅行用キャリーケースの側面図である。
【図２】図１キャリーケースの伸縮ネット取付時の側面図である。
【図３】図１キャリーケースの伸縮ネット取付時の正面図である。
【図４】伸縮ネットの展開図である。
【符号の説明】
【００１３】  １  キャリーケース
２  ケース本体
２ａ  天壁部
２ｂ  底壁部
３  キャタピラ
４  ハンドル
１０  伸縮ネット
１１  網条体
１２、１３  係合手段
３０  手荷物
【図１】
0003190234.tif 000003
【図２】
0003190234.tif 000004
【図３】
0003190234.tif 000005
【図４】
0003190234.tif 000006